(57)【要約】【課題】複数の子画面に分割された一つの親画面を画像表示するにあたり、親画面内における子画面の個数，各子画面の大きさ，各子画面の配置位置等々についての自由度を比較的高くすることができるものとする。【解決手段】コンピュータ１０からの複数の子画面用区分が設けられた親画面をあらわす親画面映像信号が供給されるカスケード接続された映像信号処理装置１２(1) 〜１２(N) の各々により、複数の子画面用映像信号を、それらがあらわす複数の子画面が親画面に設けられた複数の子画面用区分に夫々配されるようにすべく、コンピュータ１０からの親画面映像信号と合成し、映像信号処理装置１２(1) 〜１２(N) のうちの終段のものから、複数の子画面用区分に複数の子画面が夫々配された親画面をあらわす出力映像信号を得、それを画像表示部１４に供給して複数の子画面に分割された親画面の画像表示を得る。【選択図】図１
2006038979.tif 000002
【特許請求の範囲】
【請求項１】
複数の子画面が夫々配されるべき複数の子画面用区分が設けられた親画面をあらわす親画面映像信号を送出するコンピュータと、
複数の映像信号処理装置がカスケード接続されて成り、該複数の映像信号処理装置の初段のものの入力部に上記親画面映像信号が供給され、上記複数の映像信号処理装置の各々が、個別に子画面用映像信号が供給されて、該子画面用映像信号があらわす子画面が上記親画面に設けられた複数の子画面用区分のいずれかに配されるようにすべく、上記子画面用映像信号と上記親画面映像信号とを合成するものとされ、上記複数の子画面用区分に複数の子画面が夫々配された親画面をあらわす出力映像信号を、上記複数の映像信号処理装置の終段のものの出力部から送出する映像信号合成部と、
該映像信号合成部における終段の映像信号処理装置の出力部から送出される出力映像信号が供給され、該出力映像信号に基づく複数の子画面に分割された親画面を画像表示する画像表示部と、
を備えて構成される多画面表示装置。
【請求項２】
上記映像信号合成部におけるカスケード接続された複数の映像信号処理装置の終段のものの出力部が、上記画像表示部を駆動する駆動部として機能することを特徴とする請求項１記載の多画面表示装置。
【請求項３】
上記映像信号合成部におけるカスケード接続された複数の映像信号処理装置の終段のものが、複数の子画面用区分に複数の子画面が夫々配された親画面をあらわす出力映像信号についての画質調整を行う画質調整部を備えたことを特徴とする請求項１記載の多画面表示装置。
【請求項４】
上記映像信号合成部におけるカスケード接続された複数の映像信号処理装置の各々が、個別に供給される子画面用映像信号についての画質調整を行う画質調整部を備えたことを特徴とする請求項１記載の多画面表示装置。
【請求項５】
上記映像信号合成部におけるカスケード接続された複数の映像信号処理装置の各々が、個別に供給される子画面用映像信号と親画面映像信号とを合成するにあたり、上記子画  面用映像信号に画素数変換処理を施すことを特徴とする請求項１記載の多画面表示装置。
【請求項６】
上記映像信号合成部におけるカスケード接続された複数の映像信号処理装置の初段のものが、該初段のものの出力部から送出する子画面用映像信号と親画面映像信号とが合成されて得られる合成映像信号を、当該初段のものに供給された子画面用映像信号と同期した同期信号を有するものとなし、上記映像信号合成部におけるカスケード接続された複数の映像信号処理装置の初段のもの以外のものが、前段のものの出力部から供給される上記合成映像信号が有する同期信号によって同期がとられるものとされることを特徴とする請求項１記載の多画面表示装置。
【発明の詳細な説明】
【技術分野】
【０００１】
本願の特許請求の範囲に記載された発明は、画像表示部において、各々が独立した画像を表示する複数の画面に分割された一つの画面を画像表示する多画面表示装置に関する。
【背景技術】
【０００２】
液晶表示パネル等の画像表示部において、一つの大画面（親画面）内に複数の小画面（子画面）を画像表示するようにした多画面表示装置が、例えば、別々の場所に設置された複数のビデオカメラを用いた監視システムにおける画像表示部を構成するものとして実用に供されている。このような多画面表示装置の画像表示部に画像表示される親画面は、各々が独立した画像を表示する複数の子画面に分割されたものとされ、複数の子画面において互いに独立した複数の映像が夫々同時に表示されることになる。
【０００３】
従って、上述のような監視システムに多画面表示装置を利用することにより、複数の画像表示部を用いることなく、一つの画像表示部を用いて、例えば、別々の場所に設置された複数のビデオカメラによって夫々捉えられる複数の映像を、同時に監視することが可能とされる。このことは、監視システムの設置にあたり、占有スペースの低減やコストの低減を図ることができることになる利点をもたらす。
【０００４】
多画面表示装置によって一つの親画面内に配された複数の子画面において夫々表示される複数の映像は、通常、互いに非同期の状態におかれた複数の映像信号に夫々基づくものとされる。それゆえ、多画面表示装置により一つの親画面内に配された複数の子画面を画像表示するにあたっては、複数の子画面に夫々対応する互いに非同期とされた複数の映像信号についての同期化処理を行うことが提案されている（例えば、特許文献１参照。）。
【０００５】
従来提案されている多画面表示装置における、互いに非同期とされた複数の映像信号についての同期化処理は、例えば、複数の非同期映像信号が夫々複数のラインメモリに、適宜間引きされた状態で、各非同期映像信号に対応する書込クロック信号が用いられて書き込まれていき、各ラインメモリに書き込まれた非同期映像信号が共通の読出クロック信号が用いられて順次読み出されることにより、複数の非同期映像信号が同期化されるようにして行われる。そして、各ラインメモリから読み出される映像信号が、適宜選択されるもとで、所定の書込クロック信号が用いられてフレームメモリに書き込まれ、フレームメモリにおいて複数の非同期映像信号に基づく１フレーム期間分の映像信号が順次形成されていく。その後、フレームメモリから１フレーム期間分ずつの映像信号が順次読み出されて、それに基づく画像表示に供される。
【特許文献１】特開２０００−２３０３３号公報
【発明の開示】
【発明が解決しようとする課題】
【０００６】
上述のような従来提案されている多画面表示装置にあっては、複数の子画面に夫々対応する互いに非同期とされた複数の映像信号についての同期化処理，同期化された映像信号に基づく各フレーム期間分の映像信号の形成等が、親画面内における子画面の個数，各子画面の大きさ，各子画面の配置位置等々の条件に対応して行わなければならない。そのため、複数の子画面に夫々対応する互いに非同期とされた複数の映像信号についての同期化処理，同期化された映像信号に基づく各フレーム期間分の映像信号の形成等の実現性あるいは経済性の観点から、親画面内における子画面の個数，各子画面の大きさ，各子画面の配置位置等々が制約を受けることにもなる。
【０００７】
即ち、従来提案されている多画面表示装置にあっては、例えば、特定の信号処理の実現性あるいは特定の信号処理のための構成の経済性が重視される結果、親画面内における子画面の個数，各子画面の大きさ，各子画面の配置位置等々についての自由度が抑制された状態におかれているのである。それゆえ、多画面表示装置について、親画面内における子画面の個数，各子画面の大きさ，各子画面の配置位置等々についての自由度が高められることが望まれるところとなる。
【０００８】
斯かる点に鑑み、本願の特許請求の範囲に記載された発明は、画像表示部を備えていて、その画像表示部において各々が独立した画像を表示する複数の子画面に分割された一つの親画面を画像表示するにあたり、親画面内における子画面の個数，各子画面の大きさ，各子画面の配置位置等々についての自由度を比較的高いものとすることができる多画面表示装置を提供する。
【課題を解決するための手段】
【０００９】
本願の特許請求の範囲における請求項１から請求項６までのいずれかに記載された発明に係る多画面表示装置は、複数の子画面が夫々配されるべき複数の子画面用区分が設けられた親画面をあらわす親画面映像信号を送出するコンピュータと、複数の映像信号処理装置がカスケード接続されて成り、斯かる複数の映像信号処理装置の初段のものの入力部に親画面映像信号が供給されるとともに、複数の映像信号処理装置の各々が、個別に子画面用映像信号が供給されて、子画面用映像信号があらわす子画面が親画面映像信号があらわす親画面に設けられた複数の子画面用区分のいずれかに配されるようにすべく、子画面用映像信号と親画面映像信号とを合成するものとされ、複数の子画面用区分に複数の子画面が夫々配された親画面をあらわす出力映像信号を、複数の映像信号処理装置の終段のものの出力部から送出する映像信号合成部と、映像信号合成部における終段の映像信号処理装置の出力部から送出される出力映像信号が供給され、その出力映像信号に基づく複数の子画面に分割された親画面を画像表示する画像表示部と、を備えて構成される。
【００１０】
上述の如くに構成される本願の特許請求の範囲における請求項１から請求項６までのいずれかに記載された発明に係る多画面表示装置にあっては、コンピュータからの複数の子画面が夫々配されるべき複数の子画面用区分が設けられた親画面をあらわす親画面映像信号が供給される映像信号合成部において、カスケード接続された複数の映像信号処理装置の各々により、複数の子画面用映像信号が、それらがあらわす複数の子画面が親画面映像信号があらわす親画面に設けられた複数の子画面用区分に夫々配されるようにすべく、コンピュータからの親画面映像信号と合成され、カスケード接続された複数の映像信号処理装置の終段のものの出力部から、複数の子画面用区分に複数の子画面が夫々配された親画面をあらわす出力映像信号が得られる。従って、複数の子画面用区分に複数の子画面が夫々配された親画面をあらわす出力映像信号は、映像信号合成部におけるカスケード接続された、複数の子画面用映像信号が夫々供給される複数の映像信号処理装置の各々により、コンピュータからの親画面映像信号に従って形成されることになる。そして、その出力映像信号が画像表示部に供給され、画像表示部において複数の子画面に分割された親画面が画像表示される。
【００１１】
このようなもとで、画像表示部において画像表示される親画面内における子画面の個数，各子画面の大きさ，各子画面の配置位置等々は、コンピュータから送出される複数の子画面が夫々配されるべき複数の子画面用区分が設けられた親画面をあらわす親画面映像信号の内容に応じて定められ、それに応じて、カスケード接続された複数の映像信号処理装置が映像信号合成部において設定されるところ、コンピュータからの親画面映像信号の内容の設定は、コンピュータの操作により極めて容易に行い得るものである。
【発明の効果】
【００１２】
以上よりして、本願の特許請求の範囲における請求項１から請求項６までのいずれかに記載された発明に係る多画面表示装置によれば、コンピュータを操作して、コンピュータから送出される複数の子画面が夫々配されるべき複数の子画面用区分が設けられた親画面をあらわす親画面映像信号の内容を設定し、それに応じてカスケード接続された複数の映像信号処理装置を映像信号合成部に配することにより、画像表示部において画像表示される親画面内における子画面の個数，各子画面の大きさ，各子画面の配置位置等々を容易に設定できる。従って、画像表示部において各々が独立した画像を表示する複数の子画面に分割された一つの親画面を画像表示するにあたり、親画面内における子画面の個数，各子画面の大きさ，各子画面の配置位置等々についての自由度を比較的高いものとすることができることになる。
【発明を実施するための最良の形態】
【００１３】
本願の特許請求の範囲における請求項１から請求項６までのいずれかに記載された発明を実施するための最良の形態は、以下に述べられる実施例をもって説明される。
【実施例】
【００１４】
図１は、本願の特許請求の範囲における請求項１から請求項６までのいずれかに記載された発明に係る多画面表示装置の一例についての基本構成を示す。
【００１５】
図１に示される基本構成にあっては、コンピュータ１０が備えられており、このコンピュータ１０に、カスケード接続された初段からＮ段（終段）までのＮ個の映像信号処理装置１２(1) ，１２(2) ，１２(3) ，・・・・・，１２(N) をもって構成された映像信号合成部１３が接続され、さらに、映像信号合成部１３に画像表示部１４が接続されている。コンピュータ１０には操作入力部１１も接続されており、操作入力部１１からそれにおける操作に応じた操作指令データＤＸが、コンピュータ１０に供給される。
【００１６】
コンピュータ１０と映像信号合成部１３を構成する映像信号処理装置１２(1) 〜１２(N) の夫々及び画像表示部１４とは、制御データバスライン１５を通じて相互連結されており、映像信号処理装置１２(1) 〜１２(N) の夫々及び画像表示部１４についてのコンピュータ１０による動作制御が行われる。
【００１７】
そして、コンピュータ１０は、操作入力部１１からの操作指令データＤＸに応じて、例えば、図２に示されるような、複数の子画面が夫々配されるべき複数の子画面用区分ａ〜ｊが設けられた親画面Ｐをあらわす親画面映像信号ＤＰを送出する。図２に示される親画面Ｐにあっては、子画面用区分ａ〜ｊに夫々配されるべき複数の子画面の各々に対応する子画面用映像信号の発生源をあらわす複数の識別表示 CAMERA 1 〜 CAMERA 5 及び VTR 1〜VTR 5 が示されている。そして、コンピュータ１０から送出される親画面映像信号ＤＰは、映像信号合成部１３を構成する映像信号処理装置１２(1) 〜１２(N) のうちの初段の映像信号処理装置１２(1) に供給される。
【００１８】
映像信号合成部１３を構成する映像信号処理装置１２(1) 〜１２(N) には、子画面用映像信号ＤＶ(1) ，ＤＶ(2) ，ＤＶ(3) ，・・・・・，ＤＶ(N) が夫々供給される。これらの子画面用映像信号ＤＶ(1) 〜ＤＶ(N) は、図２の親画面Ｐに示される識別表示 CAMERA 1 〜 CAMERA 5 及び VTR 1〜VTR 5 によって特定されるビデオカメラ(CAMERA)及びビデオテープレコーダ(VTR) 等の映像信号発生源から送出される。
【００１９】
映像信号処理装置１２(1) は、コンピュータ１０から送出される親画面映像信号ＤＰと子画面用映像信号ＤＶ(1) とを、子画面用映像信号ＤＶ(1) があらわす子画面が親画面映像信号ＤＰがあらわす親画面Ｐに設けられた子画面用区分ａに配されるようにすべく合成して、合成映像信号である出力映像信号ＤＰＯ(1) を形成し、それを映像信号処理装置１２(1) 〜１２(N) のうちの二段目の映像信号処理装置１２(2) に供給する。斯かる際、映像信号処理装置１２(1) は、出力映像信号ＤＰＯ(1) を、映像信号処理装置１２(1) に供給される子画面用映像信号ＤＶ(1) と同期した同期信号を有するものとなす。そして、出力映像信号ＤＰＯ(1) は、親画面映像信号ＤＰがあらわす親画面Ｐに設けられた子画面用区分ａに子画面用映像信号ＤＶ(1) に基づく子画面が配されたもの、即ち、図３のＤ１に示されるように、子画面用区分ａに子画面用映像信号ＤＶ(1) に基づく子画面が配された親画面Ｐをあらわすものとされる。
【００２０】
出力映像信号ＤＰＯ(1) が供給される映像信号処理装置１２(2) は、映像信号処理装置１２(1) からの出力映像信号ＤＰＯ(1) と子画面用映像信号ＤＶ(2) とを、子画面用映像信号ＤＶ(2) があらわす子画面が出力映像信号ＤＰＯ(1) に含まれる親画面映像信号ＤＰがあらわす親画面Ｐに設けられた子画面用区分ｂに配されるようにすべく合成して、合成映像信号である出力映像信号ＤＰＯ(2) を形成し、それを映像信号処理装置１２(1) 〜１２(N) のうちの三段目の映像信号処理装置１２(3) に供給する。斯かる際、映像信号処理装置１２(2) にあっては、映像信号処理装置１２(1) からの出力映像信号ＤＰＯ(1) が有する同期信号によって同期がとられる。出力映像信号ＤＰＯ(2) は、出力映像信号ＤＰＯ(1) に含まれる親画面映像信号ＤＰがあらわす親画面Ｐに設けられた子画面用区分ｂに子画面用映像信号ＤＶ(2) に基づく子画面が配されたもの、即ち、図３のＤ２に示されるように、子画面用区分ａに子画面用映像信号ＤＶ(1) に基づく子画面が配され、それに加えて、子画面用区分ｂに子画面用映像信号ＤＶ(2) に基づく子画面が配された親画面Ｐをあらわすものとされる。
【００２１】
以下、映像信号処理装置１２(3) から映像信号処理装置１２(1) 〜１２(N) のうちのＮー１段目の映像信号処理装置１２(N-1) までの夫々が、映像信号処理装置１２(2) の場合と同様に、前段のものからの出力映像信号ＤＰＯ(2) 〜ＤＰＯ(N-2) のいずれかと子画面用映像信号ＤＶ(3) 〜ＤＶ(N-1) のいずれかとを、子画面用映像信号ＤＶ(3) 〜ＤＶ(N-1) があらわす子画面が出力映像信号ＤＰＯ(2) 〜ＤＰＯ(N-2) のいずれかに含まれる親画面映像信号ＤＰがあらわす親画面Ｐに設けられた子画面用区分ｃ〜ｉのうちのいずれかに配されるようにすべく合成して、合成映像信号である出力映像信号ＤＰＯ(3) 〜ＤＰＯ(N-1) を形成し、それを次段のものに供給する。斯かる際にも、映像信号処理装置１２(3) から映像信号処理装置１２(N-1) までにあっては、夫々、前段のものからの出力映像信号ＤＰＯ(2) 〜ＤＰＯ(N-2) が有する同期信号によって同期がとられる。
【００２２】
このようにして得られる出力映像信号ＤＰＯ(3) 〜ＤＰＯ(N-1) のうちの出力映像信号ＤＰＯ(3) は、出力映像信号ＤＰＯ(2) に含まれる親画面映像信号ＤＰがあらわす親画面Ｐに設けられた子画面用区分ｃに子画面用映像信号ＤＶ(3) に基づく子画面が配されたもの、即ち、図３のＤ３に示されるように、子画面用区分ａに子画面用映像信号ＤＶ(1) に基づく子画面が配され、子画面用区分ｂに子画面用映像信号ＤＶ(2) に基づく子画面が配され、それに加えて、子画面用区分ｃに子画面用映像信号ＤＶ(3) に基づく子画面が配された親画面Ｐをあらわすものとされる。また、出力映像信号ＤＰＯ(3) 〜ＤＰＯ(N-1) のうちの出力映像信号ＤＰＯ(4) 〜ＤＰＯ(N-1) の夫々も、出力映像信号ＤＰＯ(3) と同様のものとされ、出力映像信号ＤＰＯ(N-1) が、映像信号処理装置１２(1) 〜１２(N) のうちの終段の映像信号処理装置１２(N) に供給される。
【００２３】
映像信号処理装置１２(N) は、映像信号処理装置１２(N-1) からの出力映像信号ＤＰＯ(N-1) と子画面用映像信号ＤＶ(N) とを、子画面用映像信号ＤＶ(N) があらわす子画面が出力映像信号ＤＰＯ(N-1) に含まれる親画面映像信号ＤＰがあらわす親画面Ｐに設けられた子画面用区分ｊに配されるようにすべく合成して、出力映像信号ＤＰＯ(N) を形成する。この出力映像信号ＤＰＯ(N) は、出力映像信号ＤＰＯ(N-1) に含まれる親画面映像信号ＤＰがあらわす親画面Ｐに設けられた子画面用区分ｊに子画面用映像信号ＤＶ(N) に基づく子画面が配されたもの、即ち、図３のＤＮに示されるように、子画面用区分ａ〜ｊに子画面用映像信号ＤＶ(1) 〜ＤＶ(N) の各々に基づく子画面が夫々配された親画面Ｐをあらわすものとされる。
【００２４】
映像信号処理装置１２(N) により形成された出力映像信号ＤＰＯ(N) は、映像信号合成部１３から送出されて、画像表示部１４に供給される。画像表示部１４は、映像信号処理装置１２(N) からの出力映像信号ＤＰＯ(N) によって駆動され、その表示パネル１４Ｙに、出力映像信号ＤＰＯ(N) に基づく、それがあらわす子画面用区分ａ〜ｊに子画面用映像信号ＤＶ(1) 〜ＤＶ(N) の各々に基づく子画面が夫々配された親画面Ｐに対応する、図１に示されるような、子画面Ａ〜Ｊに分割された親画面ＰＹを画像表示する。
【００２５】
このようにして、画像表示部１４の表示パネル１４Ｙにおいて、子画面用映像信号ＤＶ(1) 〜ＤＶ(N) の各々に基づく子画面に夫々対応する、各々が独立したものとされる子画面Ａ〜Ｊを含んだ一つの親画面ＰＹが画像表示されることになる。斯かるもとで、親画面ＰＹ内における子画面Ａ〜Ｊについての個数，各々の大きさ，各々の配置位置等々は、コンピュータ１０から送出される親画面映像信号ＤＰの内容、即ち、親画面映像信号ＤＰがあらわす親画面Ｐにおける、例えば、子画面用区分ａ〜ｊとされる複数の子画面用区分についての個数，各々の大きさ，各々の配置位置等々に応じて設定される。そして、コンピュータ１０から送出される親画面映像信号ＤＰの内容の設定は、コンピュータ１０に接続された操作入力部１１における操作を介したコンピュータ１０の操作により、容易に行うことができる。従って、画像表示部１４の表示パネル１４Ｙにおいて画像表示される親画面ＰＹ内における子画面Ａ〜Ｊは、それらの個数，各々の大きさ，各々の配置位置等々についての自由度が比較的高いものとされることになる。
【００２６】
図４は、映像信号合成部１３を構成するカスケード接続された映像信号処理装置１２(1) 〜１２(N) のうちの映像信号処理装置１２(1) 〜１２(N-1) の各々についての具体構成例を示す。図４に示される具体構成例においては、コンピュータ１０から送出される親画面映像信号ＤＰ、もしくは、映像信号処理装置１２(1) 〜１２(N-2) から夫々送出される出力映像信号ＤＰＯ(1) 〜ＤＰＯ(N-2) のうちのいずれかとされる出力映像信号ＤＰＯが供給される主入力部２１が備えられている。そして、主入力部２１を通じた親画面映像信号ＤＰもしくは出力映像信号ＤＰＯが、画素数変換・ＰＩＰ（ピクチャー・イン・ピクチャー）処理部２２に供給される。
【００２７】
また、子画面用映像信号ＤＶ(1) 〜ＤＶ(N-1) のうちのいずれかとされる子画面用映像信号ＤＶが供給される副入力部２３も備えられている。そして、副入力部２３を通じた子画面用映像信号ＤＶが、復調部２４に供給され、復調部２４から子画面用映像信号ＤＶについての復調出力信号ＳＶが得られて、それが画質調整部２５による画質調整処理が施されたものとされて、画素数変換・ＰＩＰ処理部２２に供給される。
【００２８】
画素数変換・ＰＩＰ処理部２２においては、それに連結されたフレームメモリ２６が用いられるもとで、画質調整部２５による画質調整処理が施された復調出力信号ＳＶに画素数変換処理が施され、さらに、画素数変換処理が施された復調出力信号ＳＶについて、それがあらわす子画面を、親画面映像信号ＤＰもしくは出力映像信号ＤＰＯがあらわす親画面における子画面用区分ａ〜ｉのうちのいずれかに、いわゆる、ピクチャー・イン・ピクチャーとして配されるものとすべく、親画面映像信号ＤＰもしくは出力映像信号ＤＰＯと合成されるＰＩＰ処理が行われて、出力映像信号ＤＰＯ(1) 〜ＤＰＯ(N-1) のうちのいずれかとされる出力映像信号ＤＰＯ’が形成される。そして、画素数変換・ＰＩＰ処理部２２から得られる出力映像信号ＤＰＯ’が、出力部２７を通じて送出される。
【００２９】
さらに、図４に示される具体構成例にあっては、制御データバスライン１５に接続された動作制御部２８が備えられている。この動作制御部２８は、主入力部２１，画素数変換・ＰＩＰ処理部２２，副入力部２３，復調部２４，画質調整部２５及び出力部２７の夫々との間での制御データの送受を行い、主入力部２１，画素数変換・ＰＩＰ処理部２２，副入力部２３，復調部２４，画質調整部２５及び出力部２７の夫々が、動作制御部２８による動作制御下におかれる。
【００３０】
図５は、映像信号合成部１３を構成するカスケード接続された映像信号処理装置１２(1) 〜１２(N) のうちの終段を成す映像信号処理装置１２(N) についての具体構成例を示す。図５に示される具体構成例においては、映像信号処理装置１２(N-1) から送出される出力映像信号ＤＰＯ(N-1) が供給される主入力部３１が備えられている。そして、主入力部３１を通じた出力映像信号ＤＰＯ(N-1) が、画素数変換・ＰＩＰ処理部３２に供給される。
【００３１】
また、子画面用映像信号ＤＶ(N) が供給される副入力部３３も備えられている。そして、副入力部３３を通じた子画面用映像信号ＤＶ(N) が、復調部３４に供給され、復調部３４から子画面用映像信号ＤＶ(N) についての復調出力信号ＳＶが得られて、それが画質調整部３５による画質調整処理が施されたものとされて、画素数変換・ＰＩＰ処理部３２に供給される。
【００３２】
画素数変換・ＰＩＰ処理部３２においては、それに連結されたフレームメモリ３６が用いられるもとで、画質調整部３５による画質調整処理が施された復調出力信号ＳＶに画素数変換処理が施され、さらに、画素数変換処理が施された復調出力信号ＳＶについて、それがあらわす子画面を、出力映像信号ＤＰＯ(N-1) があらわす親画面における子画面用区分ｊに、いわゆる、ピクチャー・イン・ピクチャーとして配されるものとすべく、出力映像信号ＤＰＯ(N-1) と合成されるＰＩＰ処理が行われて、出力映像信号ＤＰＯ(N) が形成される。そして、画素数変換・ＰＩＰ処理部３２から得られる出力映像信号ＤＰＯ(N) が、画質調整部３７による画質調整処理が施されたものとされて、出力部３８を通じて送出される。出力部３８から送出される出力映像信号ＤＰＯ(N) は、画像表示部１４に供給され、画像表示部１４が出力映像信号ＤＰＯ(N) によって駆動される。それゆえ、出力部３８は、画像表示部１４を駆動する駆動部として機能する。
【００３３】
さらに、図５に示される具体構成例にあっては、制御データバスライン１５に接続された動作制御部３９が備えられている。この動作制御部３９は、主入力部３１，画素数変換・ＰＩＰ処理部３２，副入力部３３，復調部３４，画質調整部３５，画質調整部３７及び出力部３８の夫々との間での制御データの送受を行い、主入力部３１，画素数変換・ＰＩＰ処理部３２，副入力部３３，復調部３４，画質調整部３５，画質調整部３７及び出力部３８の夫々が、動作制御部３９による動作制御下におかれる。
【産業上の利用可能性】
【００３４】
以上のような本願の特許請求の範囲における請求項１から請求項６までのいずれかに記載された発明に係る多画面表示装置は、画像表示部において各々が独立した画像を表示する複数の子画面に分割された一つの親画面を画像表示するにあたり、親画面内における子画面の個数，各子画面の大きさ，各子画面の配置位置等々についての自由度を比較的高いものとすることができるものであって、例えば、別々の場所に設置された複数のビデオカメラを用いた監視システムにおける画像表示部を構成するものとして、広く適用することができるものである。
【図面の簡単な説明】
【００３５】
【図１】本願の特許請求の範囲における請求項１から請求項６までのいずれかに記載された発明に係る多画面表示装置の一例を示すブロック接続図である。
【図２】図１に示される例に備えられたコンピュータが送出する親画面映像信号ＤＰの説明に供される概念図である。
【図３】図１に示される例に備えられた映像信号合成部の動作説明に供される概念図である。
【図４】図１に示される例に備えられた映像信号合成部を構成する映像信号処理装置についての具体構成例を示すブロック接続図である。
【図５】図１に示される例に備えられた映像信号合成部を構成する映像信号処理装置についての具体構成例を示すブロック接続図である。
【符号の説明】
【００３６】
１０・・・コンピュータ，  １１・・・操作入力部，  １２(1) ，１２(2) ，１２(3) ，１２(N) ・・・映像信号処理装置，  １３・・・映像信号合成部，  １４・・・画像表示部，  １４Ｙ・・・表示パネル，  １５・・・制御データバスライン，  ２１，３１・・・主入力部，  ２２，３２・・・画素数変換・ＰＩＰ処理部，  ２３，３３・・・副入力部，  ２４，３４・・・復調部，  ２５，３５，３７・・・画質調整部，  ２６，３６・・・フレームメモリ，  ２７，３８・・・出力部，  ２８，３９・・・動作制御部
【図１】
2006038979.tif 000003
【図２】
2006038979.tif 000004
【図３】
2006038979.tif 000005
【図４】
2006038979.tif 000006
【図５】
2006038979.tif 000007